(57)【要約】【課題】  プロセスカートリッジに搭載された不揮発性記憶手段を有効に活用することにより、安価、かつ容易にプロセスカートリッジの使用の可否の管理等を行うことができ、画像形成装置の製造コスト等の低減を図ることができる、画像形成装置及びプロセスカートリッジを提供する。【解決手段】  不揮発性記憶手段であるメモリタグ４を有し、画像形成装置本体への着脱を自在とした単数又は複数のプロセスカートリッジ２を備えた画像形成装置であって、不揮発性記憶手段であるメモリタグ４は、プロセスカートリッジ２の使用の可否を制御する使用可否制御情報を記憶している画像形成装置及びプロセスカートリッジなどにより課題を解決した。【選択図】  図１
2005227517.tif 000002
【特許請求の範囲】
【請求項１】
不揮発性記憶手段を有し、画像形成装置本体への着脱を自在とした単数又は複数のプロセスカートリッジを備えた画像形成装置であって、
前記不揮発性記憶手段は、前記プロセスカートリッジの使用の可否を制御する使用可否制御情報が記憶されていることを特徴とする画像形成装置。
【請求項２】
前記使用可否制御情報は、遠隔操作によって変更することができることを特徴とする請求項１に記載の画像形成装置。
【請求項３】
前記画像形成装置は、複数のプロセスカートリッジを備え、前記不揮発性記憶手段に記録している前記使用可否制御情報に従い、当該複数のプロセスカートリッジのそれぞれについての使用を制御することを特徴とする請求項１又は２に記載の画像形成装置。
【請求項４】
前記使用可否制御情報は、設定した試用期間のみプロセスカートリッジを使用させるための試用期間に関する情報が含まれていることを特徴とする請求項１から３のいずれか１項に記載の画像形成装置。
【請求項５】
請求項１から４のいずれか１項に記載の画像形成装置に用いるプロセスカートリッジ。
【発明の詳細な説明】
【技術分野】
【０００１】
本発明は、複写機、ファクシミリ、プリンタ等の静電複写プロセスによる画像形成に用いられ、使用可否制御情報を記憶した不揮発性記憶手段を有するプロセスカートリッジを備えた、画像形成装置及びプロセスカートリッジに関する。
【背景技術】
【０００２】
近年、プロセスカートリッジ上に小容量の不揮発性記憶手段を搭載するのが主流になりつつある。
【０００３】
従来、プロセスカートリッジに搭載された不揮発性記憶手段には、カートリッジの構成ユニットによっても異なるが、例えば、感光体の使用頻度による感光体の寿命、現像ユニットの使用頻度による現像ユニット部材の寿命、２成分現像に使用される現像剤の寿命、トナーカートリッジのトナー残量等のプロセスカートリッジの各部品の寿命に関する情報が記録されている。これらのデータにより、プロセスカートリッジの寿命がきた場合には、画像形成装置の動作を停止させ、交換を要求することができるようになっている。
【０００４】
通信回線を用いた遠隔診断装置は、システムの保守、異常時の自動発呼等に使用されている。特許文献１では、遠隔診断装置を用いて、オプション機能についてのダウンロードや試用を行うことが提案されている。
【特許文献１】特開２０００−４９９９８号公報
【発明の開示】
【発明が解決しようとする課題】
【０００５】
しかしながら、プロセスカートリッジに搭載された不揮発性記憶手段へアクセスし、その不揮発性記憶手段に記録されている情報に従い、プロセスカートリッジの寿命以外の理由によってプロセスカートリッジの使用を制御することについては未だ提案されていない。
【０００６】
また、通信回線を用いた遠隔地診断装置を用いてプロセスカートリッジに搭載した不揮発性記憶手段にアクセスすることについても提案されておらず、特許文献１に記載された発明についても、画像形成装置本体の制御部にあるメモリにアクセスしているため、プロセスカートリッジに搭載した不揮発性記憶手段にアクセスすることまでを考慮したものではない。
【０００７】
一方、遠隔操作により不揮発性記憶手段に記録した情報を変更することができれば、メンテナンスを行う者が現地まで出張する必要がなくなるなど、安価、かつ容易にプロセスカートリッジの使用の可否の管理等を行うことができるようになると考えられる。
【０００８】
さらに、近年、カラー画像形成装置の需要の高まりから、カラー画像形成装置と黒単色の画像形成装置の両方を用意する必要があるため、カラー画像形成装置と黒単色の画像形成装置との作り分けによってシステムのラインナップが増加し、画像形成装置の製造コスト等が上昇するという問題点がある。
【０００９】
本発明は、以上の点に鑑みてなされたものであり、その目的とするところは、プロセスカートリッジに搭載された不揮発性記憶手段を有効に活用することにより、安価、かつ容易にプロセスカートリッジの使用の可否の管理等を行うことができ、画像形成装置の製造コスト等の低減を図ることができる、画像形成装置及びプロセスカートリッジを提供することである。
【課題を解決するための手段】
【００１０】
本発明者は、上記目的を達成すべく様々な検討を重ねた結果、プロセスカートリッジに搭載された不揮発性記憶手段にプロセスカートリッジの使用の可否を制御する使用可否制御情報を記憶することにより、上記課題を達成することを見出し、本発明をするに至った。
【００１１】
即ち、本発明の画像形成装置は、不揮発性記憶手段を有し、画像形成装置本体への着脱を自在とした単数又は複数のプロセスカートリッジを備えた画像形成装置であって、前記不揮発性記憶手段は、前記プロセスカートリッジの使用の可否を制御する使用可否制御情報を記憶していることを特徴とするものである。
【００１２】
不揮発性記憶手段は、記憶の保持に外部電源を必要としない、不揮発性（持久性）のもので、読み書きが可能であればいずれでもよく、特に限定されないが、例えば、不揮発性メモリを備えたメモリタグ、ＩＣチップを搭載した接触型のタブ、非接触型ＩＣチップを搭載したタブ、非接触型ＩＣカード、ＩＣチップを搭載したプリント基板、非接触型ＩＣチップを搭載したプリント基板、ＥＥＰＲＯＭなどが挙げられる。
【００１３】
不揮発性記憶手段には、プロセスカートリッジの使用の可否を制御する使用可否制御情報、カートリッジＩＤ、カートリッジロット、製造年月日、使用開始年月日、コピー枚数、種類、存期間使認識番号、リサイクル回数、リサイクル回数の上限、コピー枚数、現在の年月日、露光量、帯電量、現像バイアスなどの作像条件、カートリッジの構成部品の交換時期、トナーロット、充填量、種類、保存期間等が記憶される。
【００１４】
使用可否制御情報としては、例えば、設定した試用期間のみプロセスカートリッジを使用させるための試用期間に関する情報、一定期間のみプロセスカートリッジの使用を許可し又は一定条件の下でプロセスカートリッジの使用を制限するために必要となるプロセスカートリッジの使用条件に関する情報、継続使用（契約締結）に関する情報、プロセスカートリッジの使用不可に関する情報などが挙げられる。
【００１５】
使用可否制御情報には、設定した試用期間のみプロセスカートリッジを使用させるための試用期間に関する情報が含まれているのが好ましい。例えば、画像形成装置の購入希望者に対し、一定期間内、画像形成装置を提供する試用は、画像形成装置を購入する際に行う検討の有力な判断材料となるが、画像形成装置の画像形成動作に非常に重要なパーツであるプロセスカートリッジに搭載されている不揮発性記憶手段を利用し、不揮発性記憶手段に、設定した試用期間のみプロセスカートリッジを使用させるための試用期間に関する情報が記憶されている場合には、試用期間が経過すると、従来の寿命経過時と同様に、画像形成装置の動作を停止させることできるため、画像形成装置の試用管理が非常に容易になるからである。
【００１６】
また、本発明の画像形成装置は、さらに、前記使用可否制御情報は遠隔操作によって変更することができることを特徴とするものである。
【００１７】
遠隔操作の方法としては、例えば、画像形成装置と遠隔地診断装置との組み合わせにより遠隔操作を行うもの、遠隔地診断装置の通信機能（ＣＳＳ、ＮＲＳ）を用いて遠隔操作を行うもの、通信回線を用いた遠隔地診断システムを併設した画像形成装置で遠隔操作を行うものなどを挙げることができる。
【００１８】
使用可否制御情報の遠隔操作による変更の具体例としては、例えば、不揮発性記憶手段に記録された、試用期間に関する情報を削除して継続使用（契約締結）に関する情報に変更すること、設定した試用期間を延長又は短縮すること、プロセスカートリッジの使用不可に関する情報の変更や解除をすること、プロセスカートリッジの使用条件に関する情報や使用不可に関する情報を設定又は解除することなどが挙げられる。
【００１９】
なお、この画像形成装置においては、遠隔操作によって、試用期間に関する情報を削除して継続使用（契約締結）に関する情報に変更することができるため、メンテナンスを行う者が現地に出張して情報を変更する作業をする必要がなくなり、間接的に画像形成装置の製造コストの低減に寄与する。
【００２０】
さらに、複数のプロセスカートリッジを備えた本発明の画像形成装置は、前記不揮発性記憶手段に記録している前記使用可否制御情報に従い、当該複数のプロセスカートリッジそれぞれの使用を制御することを特徴とするものである。
【００２１】
複数のプロセスカートリッジに搭載された不揮発性記憶手段は、それぞれ別個独立する使用可否制御情報を記憶しているため、例えば、４個のプロセスカートリッジを有するカラーの画像形成装置において、イエロー（Ｙ）、シアン（Ｃ）及びマゼンタ（Ｍ）のプロセスカートリッジに使用不可の制限を設定すれば、ブラック（Ｋ）のプロセスカートリッジのみ使用が可能となるため、単色（黒）のみの画像形成装置となり、この場合、イエロー（Ｙ）、シアン（Ｃ）、マゼンタ（Ｍ）のいずれか１つのプロセスカートリッジの使用不可の制限を解除すれば、二色の画像形成装置となり、イエロー（Ｙ）、シアン（Ｃ）及びマゼンタ（Ｍ）のプロセスカートリッジの使用不可の制限を解除すれば、カラーの画像形成装置となる。これにより、製造者側は、単色、二色、カラー、それぞれの画像形成装置を作り分ける必要がなくなり、使用者側は、使用状況に応じ、一つの画像形成装置を、適宜、単色の画像形成装置、二色の画像形成装置、カラーの画像形成装置に変更することが可能となる。
【００２２】
なお、近年、カラーの画像形成装置の需要が高まっているため、カラーの画像形成装置、黒単色の画像形成装置等、システムのラインナップが増える傾向があるが、本発明の画像形成装置により、黒単色の画像形成装置とカラーの画像形成装置とを作り分ける必要がなくなり、システムの共有化を図ることができ、ラインナップを減少させることが可能となるため、画像形成装置の製造コストの低減にも寄与するようになる。
【００２３】
一方、ユーザとしても、購入コストが低減されるだけでなく、通常は黒単色のみの使用であるが、ある特定期間のみカラー機を使用したい場合などに、装置の再購入、入れ替え等の作業やコストの負担がなくなり、利便性の向上が図られる。
【００２４】
本発明の複数のプロセスカートリッジを備えた本発明の画像形成装置においては、試用期間だけ、イエロー（Ｙ）、シアン（Ｃ）及びマゼンタ（Ｍ）のプロセスカートリッジを使用不可にして、カラーの動作を禁止（停止）し、黒単色のみの動作とすることも可能であることはいうまでもない。
【００２５】
本発明のプロセスカートリッジは、上記画像形成装置に用いるものであることを特徴とするものである。
【発明の効果】
【００２６】
本発明の画像形成装置は、プロセスカートリッジに搭載された不揮発性記憶手段がプロセスカートリッジの使用の可否を制御する使用可否制御情報を記憶しているため、画像形成動作に不可欠な部品であるプロセスカートリッジを用いて、画像形成装置の試用条件の設定を変更又は解除することやプロセスカートリッジの使用の可否を容易に制御することが可能となり、さらには装置の作り分けも不要となって、画像形成装置のコストダウンに寄与するという利点がある。
【００２７】
本発明の画像形成装置において、プロセスカートリッジに搭載された不揮発性記憶手段に記憶されている使用可否制御情報を遠隔操作によって変更することにより、例えば、ユーザの継続使用（契約）等の処理も迅速かつ簡単に行うことができるという利点がある。
【００２８】
本発明の複数のプロセスカートリッジを備えた画像形成装置において、複数のプロセスカートリッジに搭載された不揮発性記憶手段のそれぞれについて、別個独立した使用可否制御情報を記憶することにより、画像形成装置の共通化がはかれ、画像形成装置のコストの低減、ユーザの使用要求に合わせた管理、動作の変更が迅速、容易に行うことが可能であるという利点がある。
【００２９】
本発明の画像形成装置において、使用可否制御情報に設定した試用期間のみプロセスカートリッジを使用させるための試用期間に関する情報が含まれていることにより、試用期間の経過と同時に画像形成装置の動作を停止させることでき、画像形成装置の試用管理が非常に容易になるという利点がある。
【発明を実施するための最良の形態】
【００３０】
本発明の画像形成装置及びプロセスカートリッジについて、図面を参照しながら説明する。本発明の画像形成装置の一実施形態の構造を示す概略断面図を図１に示す。
【００３１】
画像形成装置１は、光学系１ａ、給紙コロ１ｂ、記録紙３を収納する給紙カセット１ｃ、転写ローラ１ｄ及び定着ローラ１ｅを有している。一方、プロセスカートリッジ２は、画像形成装置１に着脱可能な状態で備えられ、帯電ローラ２ａ、現像手段及びトナー収納部２ｂ、クリーニング手段及び廃トナー回収部２ｃ、感光体２ｄを有し、メモリタグ４（不図示）が実装される。メモリタグ４（不図示）には不揮発性記憶手段としての不揮発性メモリが搭載されている。光学系１ａは、ポリゴンモータ、ポリゴンミラー、Ｆθレンズ、レーザダイオード、ミラーを有している。
【００３２】
給紙コロ１ｂにより、給紙カセット１ｃに収納された記録紙３は、感光体２ｂへ搬送される。感光体２ｄは、時計方向に回転駆動され、その際、帯電ローラ２ａによって帯電され、光学系１ａからレーザー光が照射されて、感光体２ｄ上に、静電潜像が形成される。この静電潜像は、現像手段及びトナー収納部２ｂを通る際に、トナーによって可視像化される。可視像は、転写ローラ１ｄにより、感光体２ｄへ搬送された記録紙３に転写され、定着ローラ１ｅに搬送され、記録紙３上の可視像は定着され、画像形成装置１の外部に排出される。
【００３３】
プロセスカートリッジ２は、例えば、図２に示すように、不図示の帯電ローラ２ａ、現像手段及びトナー収納部２ｂ、クリーニング手段及び廃トナー回収部２ｃ、感光体２ｄを一体（ＡＩＯ）にしたものであり、メモリタグ４が実装される。メモリタグ４には不揮発性記憶手段としての不揮発性メモリが搭載されている。不揮発性メモリには、プロセスカートリッジ（各感光体ユニット）の使用の可否を制御する情報、カートリッジＩＤ、製造年月日、使用開始年月日、リサイクル回数、コピー枚数、現在の年月日等が記憶されている。ここで、メモリタグ４の代わりに、ＩＣチップを搭載したプリント基板又は非接触型ＩＣチップを搭載したプリント基板を実装してもよい。
【００３４】
本発明のプロセスカートリッジを複数個備えた本発明の画像形成装置の一実施形態の構造の一部分、即ち、４連ドラムのタンデム作像方式を採用したプロセスカートリッジとその周辺部分の構造を示す断面図を図３に示す。このプロセスカートリッジ（以下、「感光体ユニット（ＰＣＵ）」ということがある。）３２〜３５は、それぞれ、感光体、帯電装置手段、現像手段及びクリーニング手段を一体にした構成になっている。感光体ユニット（ＰＣＵ）３２〜３５は、各々のストッパを解除して手前に引き出すことにより、交換することができる。
【００３５】
感光体ユニット（ＰＣＵ）３２〜３５は、用紙が搬送される順に、右下から、Ｍ感光体ユニット（マゼンタ（Ｍ））３２、Ｃ感光体ユニット（シアン（Ｃ））３３、Ｙ感光体ユニット（イエロー（Ｙ））３４、Ｋ感光体ユニット（ブラック（Ｋ））３５の順に配置されている。なお、各感光体ユニット（ＰＣＵ）は、各色により非互換となっており、色間を入れ替えることができない。
【００３６】
転写ユニット３６も、感光体ユニット（ＰＣＵ）３２〜３５と同様に、斜め方向にレイアウトされ、用紙を右下から搬送しながら感光体上の画像を用紙に転写する。また、転写ユニット３６は、解除レバーを倒すことにより、手前に引き出すことができるようになっている。
【００３７】
なお、図面には図示しなかったが、感光体ユニット（ＰＣＵ）３２〜３５には、それぞれメモリタグが実装されている。このメモリタグには不揮発性記憶手段としての不揮発性メモリが搭載され、感光体ユニットの使用の可否を制御する情報、カートリッジＩＤ、製造年月日、使用開始年月日、リサイクル回数、コピー枚数、現在の年月日等が記憶されている。ここで、このメモリタグの代わりに、ＩＣチップを搭載したプリント基板又は非接触型ＩＣチップを搭載したプリント基板を実装してもよいことはいうまでもない。
【００３８】
感光体、帯電装置手段、現像手段及びクリーニング手段を一体にした、本発明の画像形成装置に用いる本発明のプロセスカートリッジの他の一実施形態の構造を示す詳細断面図を図４に示す。このプロセスカートリッジも複写機やプリンタ等の画像形成装置に対して着脱自在である構成になっている。
【００３９】
トナーカートリッジ２７０から、現像ユニット９へのトナー搬送は、エアーポンプ（不図示）により行なわれる。また、光学センサー（不図示）を搬送用ノズル（図示せず）に組み込み、トナーニアーエンド検知（不図示）も行なっている。
【００４０】
トナーカートリッジ２７０から現像ユニット９へと搬送されたトナーは、２本のスクリュー（搬送スクリュー（左）９Ｂ、搬送スクリュー（右）９Ｃ）により、現像剤と撹拌され、現像ローラ３１へと搬送される。現像ローラ上の剤は、現像ドクターブレード９Ｄにより、付着量が規制され、ドラム上に供給される。
【００４１】
現像ユニット手前側には、Ｔセンサ（トナー濃度センサ）９Ｅがあり、剤中トナー濃度を検知し、トナー濃度制御を行なっている。
【００４２】
感光体ドラム５への帯電は、帯電ローラ７にて行なわれる。帯電ローラ７はドラムと逆方向に回転しており、ドラム面への均一な電荷を可能にしている。また、帯電ローラ７の上側には、帯電ローラ７と常設した状態で帯電クリーニングローラ７Ａが取り付けられ、帯電ローラ７のクリーニングを行っている。
【００４３】
感光体ドラム上の未転写トナーは、クリーニング部１１でクリーニングブレード１１Ｂとクリーニングブラシ１１Ａによって回収される。クリーニングブレード１１Ｂは、ドラム回転方向に対し、カウンタ方向に取り付けられ、ドラムと常設している。
【００４４】
クリーニングブラシ１１Ａは、ドラムと逆方向に回転しており、ブレードと併せて未転写トナーを回収し、廃トナー搬送コイル１１Ｃ側へ送っている。廃トナーは、廃トナー搬送コイル１１Ｃより、廃トナー排出口まで搬送され、廃トナーボトル（不図示）により回収される。
【００４５】
メモリタグ４には不揮発性メモリが搭載されている。不揮発性メモリには、プロセスカートリッジ（各感光体ユニット）の使用の可否を制御する情報、カートリッジＩＤ、製造年月日、使用開始年月日、リサイクル回数、コピー枚数、現在の年月日等が記憶されている。メモリタグ４の代わりに、ＩＣチップを搭載した接触型のタブ、非接触型ＩＣチップを搭載したタブ、非接触型ＩＣカードを搭載してもよい。
【００４６】
感光体が所定の周速度で回転駆動すると、感光体の回転過程で、帯電手段により、感光体の周面は、正又は負の所定電位の均一帯電を受けた後、書き込み系のスリット露光やレーザビーム走査露光等の像露光手段からの画像露光を受けるため、感光体の周面には静電潜像が順次形成される。形成された静電潜像は、現像手段によりトナー現像され、現像されたトナー像は、転写手段によって、給紙部から感光体と転写手段との間に感光体の回転と同期されて給送された転写材に順次転写される。
【００４７】
像転写を受けた転写材は、感光体面から分離され、像定着手段へ導入されて像定着がされ、複写物（コピー）として装置外にプリントアウトされる。像転写後の感光体の表面は、クリーニング手段によって転写残りトナーの除去を受けて清浄面化され、更に除電された後、繰り返し画像形成に使用される。
【００４８】
本発明のプロセスカートリッジに搭載された不揮発性記憶手段の制御の一例を図５に従い説明する。ＣＰＵ５１は内部に記憶されたＲＯＭ（プログラム）により、外部との通信又は外部からの指令により、ＥＥＰＲＯＭの読み書きを行なう。Ｉ／Ｏポート５２は、アクチュエータ動作のセンサ入力回路である。Ｓｙｓｔｅｍ  Ｃｏｎｔｒｏｌ  Ｌｏｇｉｃ５３は、周辺のＩＣを制御する回路である。ＲＯＭ５４は、プログラムメモリである。ＲＡＭ５５は、プログラムを実行するためのワーキングメモリである。ＥＥＰＲＯＭ５６は、プロセスカートリッジを制御するのに必要な情報を記憶する不揮発性メモリである。Ｅ−ＥＥＰＲＯＭ５７はＥＥＰＲＯＭへ書き込む専用命令を記憶したメモリである。
【００４９】
ＥＥＰＲＯＭ５６は、プロセスカートリッジに搭載され、プロセスカートリッジの使用の可否を制御する情報のみならず、露光量、帯電量、現像バイアスなどの作像条件、カートリッジロット、製造年月日、種類、存期間使認識番号、使用開始年月日、コピー枚数、リサイクル回数、リサイクル回数の上限、カートリッジの構成部品の交換時期、トナーロット、製造年月日、充填量、種類、保存期間、リサイクル回数、リサイクル回数等を記憶している。
【００５０】
通信回線を用いた遠隔地診断システムを備えた本発明の画像形成装置の一実施形態を図６に従い説明する。
【００５１】
画像形成装置には、制御ＣＰＵ６１が設けられている。この制御ＣＰＵ６１は、ＲＯＭ６２及びＲＡＭ６３と接続され、プログラムの実行を行う。画像形成装置の通信制御部６４は、遠隔地診断システムのホスト部６５と接続され、画像形成装置に記録された情報の管理を行う。Ｉ／Ｏ制御部６６は、画像形成装置の各種アクチュエータの動作及びセンサ信号の入力を行い、画像形成装置の様々な情報を記憶するため、不揮発性メモリ６７への制御も行う。なお、Ｉ／Ｏ制御部６６は、ＣＰＵ内蔵のＩ／Ｏポートであってもよく、外部Ｉ／Ｏ制御の周辺素子を使用してもよい。
【００５２】
この遠隔地診断システムは、画像形成装置の使用状況の管理に使用できるだけでなく、使用状況によるメンテナンス料金の請求、装置の故障、不具合等のリアルタイム検知による早期不具合の解決等にも使用することができる。
【００５３】
なお、遠隔地診断システムを使用して画像形成装置へのオプション機能を満足するファームウェア等のダウンロード機能は、特許文献１において提案されている。
【図面の簡単な説明】
【００５４】
【図１】本発明の画像形成装置の一実施形態の構造を示す概略断面図である。
【図２】本発明の画像形成装置に用いる本発明のプロセスカートリッジの一実施形態を示す斜視図である。
【図３】本発明のプロセスカートリッジを複数個備えた画像形成装置の一実施形態の構造の一部分を示す断面図である。
【図４】本発明の画像形成装置に用いる本発明のプロセスカートリッジの他の一実施形態の構造を示す詳細断面図である。
【図５】本発明のプロセスカートリッジに搭載された不揮発性記憶手段の制御の一例を示すブロック図である。
【図６】通信回線を用いた遠隔地診断システムを備えた本発明の画像形成装置の一実施形態を示す概略図である。
【符号の説明】
【００５５】
１    画像形成装置
１ａ    光学系
１ｂ    給紙コロ
１ｃ    給紙カセット
１ｄ    転写ローラ
１ｅ    定着ローラ
２    プロセスカートリッジ
２ａ    帯電ローラ
２ｂ    現像手段及びトナー収納部
２Ｃ    クリーニング手段及び廃トナー回収部
３    記録紙
４    メモリタグ
５    感光体ドラム
７    帯電ローラ
７Ａ    帯電クリーニングローラ
９    現像ユニット
９Ｂ    搬送スクリュー（左）
９Ｃ    搬送スクリュー（右）
９Ｄ    現像ドクターブレード
９Ｅ    Ｔセンサ（トナー濃度センサ）
１１    クリーニングユニット
１１Ａ    クリーニングブラシ
１１Ｂ    クリーニングブレード
１１Ｃ    廃トナー搬送コイル
３１    現像ローラ
３２    Ｍ感光体ユニット
３３    Ｃ感光体ユニット
３４    Ｙ感光体ユニット
３５    Ｋ感光体ユニット
３６    転写ユニット
５１    ＣＰＵ
５２    Ｉ／Ｏ ポート
５３    Ｓｙｓｔｅｍ  Ｃｏｎｔｒｏｌ  Ｌｏｇｉｃ
５４    ＲＯＭ
５５    ＲＡＭ
５６    ＥＥＰＲＯＭ
５７    Ｅ−ＥＥＰＲＯＭ
６１    制御ＣＰＵ
６２    ＲＯＭ
６３    ＲＡＭ
６４    通信制御部
６５    遠隔地診断システムのホスト部
６６    Ｉ／Ｏ制御部
６７    不揮発性メモリ
２７０    トナーカートリッジ
【図１】
2005227517.tif 000003
【図２】
2005227517.tif 000004
【図３】
2005227517.tif 000005
【図４】
2005227517.tif 000006
【図５】
2005227517.tif 000007
【図６】
2005227517.tif 000008